(57)【要約】【課題】測定対象の液体を流路に対して円滑に導入できるマイクロ流体デバイス、及び、これを備えた遠心分離装置を提供する。【解決手段】遠心分離装置の円板は、受け部４１及び通過部４２を備える。受け部４１には、凹部１３と、凹部１３の内部空間内に突出する突出部５０とが形成される。通過部４２には、流路１５が形成される。流路１５は、凹部１３の内部空間に連通する。凹部１３に泡６０が発生した場合には、突出部５０によって、その泡６０をテーパ面１３１から離すことができ、又は、その泡６０を割ることができる。その結果、凹部１３に発生した泡６０によって血液の流れが阻害されることを抑制でき、血液を流路１５に対して円滑に導入できる。【選択図】  図５
0003201444.tif 000002
【実用新案登録請求の範囲】
【請求項１】
滴下された測定対象の液体を受ける凹部、及び、前記凹部の内部空間内に突出する突出部が形成された受け部と、
前記凹部の内部空間に連通し、前記凹部が受けた液体が通過する流路が形成された通過部と、を備えることを特徴とするマイクロ流体デバイス。
【請求項２】
前記凹部、前記突出部及び前記流路が板状部材に形成されることにより、前記受け部及び前記通過部が一体的に形成されていることを特徴とする請求項１に記載のマイクロ流体デバイス。
【請求項３】
前記通過部では、前記凹部に滴下された液体が毛細管現象によって前記流路に導入されることを特徴とする請求項１又は２に記載のマイクロ流体デバイス。
【請求項４】
前記凹部は、その底部に向かうにつれて先細るテーパ面を有しており、
前記流路は、前記凹部の底部において前記内部空間に連通しており、
前記突出部は、前記テーパ面に形成されていることを特徴とする請求項１〜３のいずれか一項に記載のマイクロ流体デバイス。
【請求項５】
前記突出部は、前記凹部の内周面から、前記凹部の中心に向かって突出する板状に形成されていることを特徴とする請求項１〜４のいずれか一項に記載のマイクロ流体デバイス。
【請求項６】
前記突出部は、前記流路側に配置されていることを特徴とする請求項１〜５のいずれか一項に記載のマイクロ流体デバイス。
【請求項７】
請求項１〜６のいずれか一項に記載のマイクロ流体デバイスを備え、
前記マイクロ流体デバイスに遠心力を付与することにより、測定対象の液体中の成分を分離させることを特徴とする遠心分離装置。
【考案の詳細な説明】
【技術分野】
【０００１】
本考案は、測定対象の液体を受ける受け部、及び、当該受け部が受けた液体が通過する通過部を備えたマイクロ流体デバイス、及び、これを備えた遠心分離装置に関するものである。
【背景技術】
【０００２】
従来から、マイクロ流体デバイスを備えた装置として、開口部、及び、当該開口部に連通する溝が形成され、回転可能な円板を備える遠心分離装置が知られている。この遠心分離装置では、測定対象の液体が開口部に滴下され、さらに円板が回転される。そして、測定対象の液体は、開口部から溝に導入され、溝内において、その成分ごとに遠心分離される（例えば、下記特許文献１参照）。
【０００３】
特許文献１に記載の遠心分離装置では、開口部及び溝が微小に形成されている。そして、この遠心分離装置では、測定対象の液体として、例えば、血液を用いており、血液を遠心分離させて血漿及び血球に分離する血漿分離を行っている。
【先行技術文献】
【特許文献】
【０００４】
【特許文献１】特開２０１１−７５４２０号公報
【考案の概要】
【考案が解決しようとする課題】
【０００５】
上記のような従来のマイクロ流体デバイスを備えた遠心分離装置では、開口部に液体を滴下する際に、何らかの原因により開口部に泡（気泡）が発生する場合がある。そして、開口部に泡が発生した状態では、開口部から溝への液体の流れを泡が遮るため、液体が溝にスムーズに流れず、遠心分離を良好に行えない可能性がある。特に、測定対象の液体として血液を用いる場合には、開口部で泡となった血液が固まる可能性がある。そして、この場合には、血液の溝への流れが一層阻害されてしまう。
【０００６】
本考案は、上記実情に鑑みてなされたものであり、測定対象の液体を流路に対して円滑に導入できるマイクロ流体デバイス、及び、これを備えた遠心分離装置を提供することを目的とする。
【課題を解決するための手段】
【０００７】
（１）本考案に係るマイクロ流体デバイスは、受け部と、通過部を備える。前記受け部には、滴下された測定対象の液体を受ける凹部、及び、前記凹部の内部空間内に突出する突出部が形成されている。前記通過部には、前記凹部の内部空間に連通し、前記凹部が受けた液体が通過する流路が形成されている。
【０００８】
このような構成によれば、受け部には、凹部の内部空間内に突出する突出部が形成されている。
そのため、滴下された測定対象の液体を受ける際などに凹部に泡が発生した場合に、突出部によってその泡を割ることができる。また、凹部に泡が発生した場合に、突出部によってその泡を凹部の内面から離すことができる。
その結果、凹部に発生した泡によって測定対象の液体の流れが阻害されることを抑制できる。
ゆえに、測定対象の液体を流路に対して円滑に導入できる。
【０００９】
（２）また、前記マイクロ流体デバイスでは、前記凹部、前記突出部及び前記流路が板状部材に形成されることにより、前記受け部及び前記通過部が一体的に形成されていてもよい。
【００１０】
このような構成によれば、射出成形などを用いて、受け部及び通過部を容易に形成できる。
【００１１】
（３）また、前記通過部では、前記凹部に滴下された液体が毛細管現象によって前記流路に導入されてもよい。
【００１２】
このような構成によれば、毛細管現象を利用するような細い流路に液体を導入する場合に、泡が凹部を覆ってしまうことを効果的に防止できる。
【００１３】
（４）また、前記凹部は、その底部に向かうにつれて先細るテーパ面を有してもよい。前記流路は、前記凹部の底部において前記内部空間に連通してもよい。前記突出部は、前記テーパ面に形成されていてもよい。
【００１４】
このような構成によれば、凹部に滴下された液体は、テーパ面に沿って底部に集まる。また、流路は凹部の底部において内部空間に連通している。
そのため、凹部に滴下された測定対象の液体を流路に対して効率的に導入できる。
また、突出部は、テーパ面に形成されているため、テーパ面に沿って液体が流れる過程で泡を効果的に割ることができる。
【００１５】
（５）また、前記突出部は、前記凹部の内周面から、前記凹部の中心に向かって突出する板状に形成されていてもよい。
【００１６】
このような構成によれば、突出部は、凹部の中心に向かって突出しているため、凹部に発生した泡を効果的に割ることができる。
【００１７】
（６）また、前記突出部は、前記流路側に配置されていてもよい。
【００１８】
このような構成によれば、凹部に泡が発生した場合に、突出部によってその泡を流路から離すことができる。
そのため、測定対象の液体が流路に流れるための領域を確実に確保できる。
その結果、測定対象の液体を流路に対して一層円滑に導入できる。
【００１９】
（７）本考案に係る遠心分離装置は、マイクロ流体デバイスを備える。前記遠心分離装置は、前記マイクロ流体デバイスに遠心力を付与することにより、測定対象の液体中の成分を分離させる。
【００２０】
このような構成によれば、測定対象の液体を流路に対して円滑に導入し、その液体中の成分を遠心分離することができる。
そのため、精度の高い測定結果を得ることができる。
【考案の効果】
【００２１】
本考案によれば、受け部には、凹部の内部空間内に突出する突出部が形成されているため、凹部に泡が発生した場合に、突出部によってその泡を割り、又は、突出部によってその泡を凹部の内面から離すことができる。そのため、測定対象の液体を流路に対して円滑に導入できる。
【図面の簡単な説明】
【００２２】
【図１】本考案の一実施形態に係る遠心分離装置、及び、その周辺装置を示した概略的な側面図である。
【図２】図１の遠心分離装置を示した平面図である。
【図３】図２の遠心分離装置の凹部の周辺を概略的に示した拡大平面図である。
【図４】図３のＡ−Ａ線に沿う側断面図である。
【図５】図３の凹部に泡が発生した状態を示した拡大平面図である。
【図６Ａ】本発明の第１の変形例に係る遠心分離装置の凹部の周辺を概略的に示した拡大平面図である。
【図６Ｂ】本発明の第２の変形例に係る遠心分離装置の凹部の周辺を概略的に示した拡大平面図である。
【図７Ａ】本発明の第３の変形例に係る遠心分離装置の凹部の周辺を概略的に示した側断面図である。
【図７Ｂ】本発明の第４の変形例に係る遠心分離装置の凹部の周辺を概略的に示した側断面図である。
【考案を実施するための形態】
【００２３】
１．遠心分離装置及び周辺装置の全体構成
図１は、本考案の一実施形態に係る遠心分離装置１、及び、その周辺装置を示した概略的な側面図である。なお、本実施形態では、測定対象の液体が血液である場合について説明する。
遠心分離装置１は、周辺装置としての採血装置２とともに、採血した血液を血漿分離する際に用いられる。
採血装置２は、流路板２１と、導入部材２２と、分割部材２３と、移送部材２４とを備えている。
【００２４】
流路板２１は、例えば、ＣＯＰ樹脂（Cycloolefin polymer）からなるＰＤＭＳ基板などを複数積層させて構成されており、板状に形成されている。流路板２１には、主流路２５が形成されている。主流路２５は、流路板２１の上面から下方に向かって窪む溝状に形成されている。主流路２５は、流路板２１の一端部から他端部にかけて延びる直線状に形成されている。
【００２５】
導入部材２２は、流路板２１の一端部の上面に取り付けられている。導入部材２２は、カテーテル２６と、導入コネクタ２７とを備えている。カテーテル２６は、例えば、その一端がマウス動脈に挿入されており、マウスの血液が連続的に送り込まれる。カテーテル２６の他端には、導入コネクタ２７が接続されている。導入コネクタ２７は、流路板２１の上面であって、主流路２５の一端部の上方に配置されている。すなわち、カテーテル２６に送り込まれた血液は、導入コネクタ２７を介して主流路２５に一端部から導入される。
【００２６】
分割部材２３は、流路板２１の中央部の上面に取り付けられている。分割部材２３は、分割配管２８と、分割コネクタ２９とを備えている。分割配管２８は、その一端が図示しない気体導入部に接続されており、この気体導入部によって気体が送り込まれる。また、分割配管２８は、その他端が分割コネクタ２９に接続されている。分割コネクタ２９は、流路板２１の上面であって、主流路２５の中央部の上方に配置されている。すなわち、分割配管２８に送り込まれた気体は、分割コネクタ２９を介して、主流路２５に入り込む。
【００２７】
移送部材２４は、流路板２１の他端部の上面に取り付けられている。移送部材２４は、移送配管３０と、移送コネクタ３１と、ディスペンサ３２とを備えている。移送配管３０は、その一端が移送コネクタ３１に接続され、その他端がディスペンサ３２に接続されている。移送コネクタ３１は、流路板２１の上面であって、主流路２５の他端部の上方に配置されている。すなわち、主流路２５を一端部から他端部まで通過した血液は、移送コネクタ３１及び移送配管３０を介して、ディスペンサ３２から滴下される。そして、ディスペンサ３２から滴下された血液は、遠心分離装置１によって受けられる。
遠心分離装置１は、円板１１と、モータ１２とを備えている。
円板１１は、板状部材であって、例えば、２枚のアクリル板を積層して構成されており、上下方向に延びる軸線を中心として回転可能に構成されている。
【００２８】
モータ１２は、円板１１の下方に配置されている。モータ１２は、円板１１に対して回転力を付与する。
図２は、図１の遠心分離装置を示した平面図である。円板１１には、複数の凹部１３、空気穴１４及び流路１５が形成されている。
【００２９】
複数の凹部１３は、円板１１の中央部に、円板１１の周方向に並べて配置されている。各凹部１３は、円板１１の上面から下方に向かって窪んでいる。複数の凹部１３は、円板１１の周方向において互いに一定間隔を隔てて配置されている。
【００３０】
複数の空気穴１４は、円板１１の中央部に、円板１１の周方向に並べて配置されている。各空気穴１１４は、円板１１の径方向において、各凹部１３の外方に間隔を隔てて配置されている。各空気穴１４は、円板１１の上面から下方に向かって窪んでいる。複数の空気穴１４は、円板１１の周方向において互いに一定間隔を隔てて配置されている。
【００３１】
複数の流路１５は、円板１１の中央部から、円板１１の外縁部にかけて形成されている。各流路１５は、円板１１の径方向に沿うようにして、円板１１の内部に形成されている。具体的には、各流路１５は、円板１１の径方向において、円板１１の中央部から、外方に向かって円板１１の外縁部まで延びた後、Ｕ字状に折り返され、円板１１の内方に向かって延びている。流路１５は、その一端部が各凹部１３の内部空間に連通しており、その他端部が各空気穴１４の内部空間に連通している。
【００３２】
血液を遠心分離する際は、マウスなどの血液が、採血装置２から遠心分離装置１に送られる。具体的には、まず、血液は、カテーテル２６から導入コネクタ２７を介して主流路２５に導入される。そして、主流路２５を流れた血液は、移送コネクタ３１を介して移送配管３０を流れて、ディスペンサ３２から遠心分離装置１に滴下される。
【００３３】
このとき、主流路２５には、適宜、分割コネクタ２９を介して分割配管２８から気体が導入される。これにより、主流路２５を流れる血液に気泡が挿入される。そして、この気泡により、その水平方向の寸法が所定の寸法となるように、血液が分離（分断）される。すなわち、分割配管２８（分割部材２３）から主流路２５に導入される気体（気泡）は、流れる血液を分離するセパレータとして機能する。
そして、図２に示すように、採血装置２（ディスペンサ３２）から滴下された血液は、遠心分離装置１の円板１１の各凹部１３に滴下される。
【００３４】
その後、モータ１２（図１参照）が駆動されて円板１１が回転し、血液に遠心力が付与される。そして、血液は、各凹部１３から各流路１５に流れ、各流路１５においてその成分ごとに分離される。具体的には、血液は、遠心力が付与されることにより、血漿及び血球に分離される。また、このとき、各流路１５内の空気が各空気穴１４から抜けるため、各流路１５内の血液が円滑に流れる。
そして、遠心分離装置１で遠心分離された血液は、図示しない測定装置によって、各種測定が行われる。
【００３５】
２．凹部、及び、その周辺の詳細構成
遠心分離装置１の円板１１は、受け部４１と、通過部４２とを備えている。
受け部４１は、円板１１の中央部側に配置される。上記した複数の凹部１３は、円板１１における受け部４１に形成されている。
【００３６】
通過部４２は、円板１１の外縁部側に配置される。通過部４２は、受け部４１から連続して円板１１の径方向外方に延びている。すなわち、通過部４２は、受け部４１と一体的に構成されている。上記した複数の流路１５は、円板１１における通過部４２に形成されている。
【００３７】
図３は、図２の遠心分離装置の凹部１３の周辺を概略的に示した拡大平面図である。図４は、図３のＡ−Ａ線に沿う側断面図である。
具体的には、各凹部１３は、受け部４１において、上面から下方に向かって窪むように形成されている。各凹部１３は、テーパ面１３１と、下端部周面１３２と、底面１３３とを備えた鉢状に形成されている。
【００３８】
テーパ面１３１は、凹部１３の周面における上部及び中央部の部分である。テーパ面１３１は、受け部４１の上面から下方（底部）に向かうにつれて先細る筒状に形成されている。テーパ面１３１の中心線Ｂ（凹部１３の中心線Ｂ）は、上下方向に沿っている。テーパ面１３１の上下方向の寸法Ｌ１は、例えば、０．５ｍｍ以上、１．０ｍｍ以下であり、好ましくは、０．７５ｍｍである。テーパ面１３１と水平面とがなす角度θは、例えば、４５°以上、９０°以下であり、好ましくは、６０°である。テーパ面１３１の上端縁の直径Ｌ２、換言すれば、凹部１３の上端縁の直径Ｌ２は、例えば、２．０ｍｍ以上、３．０ｍｍ以下であり、好ましくは、２．６ｍｍである。
【００３９】
下端部周面１３２は、凹部１３の周面における下端部の部分である。下端部周面１３２は、テーパ面１３１の下端縁から下方に向かって延びる筒状に形成されている。下端部周面１３２の上下方向の寸法Ｌ３は、例えば、１．５ｍｍ以上、２．０ｍｍ以下であり、好ましくは、１．７３ｍｍである。
【００４０】
底面１３３は、下端部周面１３２の下端縁に連続している。底面１３３は、平面視円形状に形成されている。底面１３３の直径Ｌ４、換言すれば、凹部１３の下端縁の直径Ｌ４は、例えば、１．５ｍｍ以上、２．０ｍｍ以下であり、好ましくは、１．７３ｍｍである。
【００４１】
また、各凹部１３内には、突出部５０が配置されている。
突出部５０は、側面視台形状の板状に形成されており、各凹部１３のテーパ面１３１から、各凹部１３の内部空間内に突出している。換言すれば、突出部５０は、各凹部１３のテーパ面１３１から、中心線Ｂに向かって延びるように片持ち支持されており、その先端５０Ａは、中心線Ｂと重なっている。突出部５０の上端縁５０Ｂの寸法、具体的には、テーパ面１３１の径方向における突出部５０の上端縁５０Ｂの寸法は、テーパ面１３１の上端縁の直径Ｌ２の約半分である。また、突出部５０の下端縁５０Ｃの寸法、具体的には、テーパ面１３１の径方向における突出部５０の下端縁５０Ｃの寸法は、底面１３３の直径Ｌ４の約半分である。突出部５０の上下方向の寸法は、テーパ面１３１の上下方向の寸法Ｌ１と同一である。突出部５０の厚みＬ５は、例えば、０．１ｍｍ以上、０．５ｍｍ以下であり、好ましくは、０．３ｍｍである。
【００４２】
また、各流路１５は、通過部４２に形成されている。各流路１５は、各凹部１３の底部における内部空間に連通している。具体的には、各流路１５は、各凹部１３の下端部周面１３２の内部空間に連通している。図３に示すように、上下方向に見たときに、各流路１５の一端部は、突出部５０の基端部と重なっている。すなわち、突出部５０は、凹部１３内において、流路１５側に配置されている。また、流路１５及び突出部５０は、同一方向に延びている。具体的には、上下方向に見たときに、流路１５及び突出部５０の両方は、中心線Ｂを通る仮想線Ｃに沿うように延びている。
図４に示すように、各流路１５の上下方向の寸法Ｌ６は、例えば、０．１ｍｍ以上、１．０ｍｍ以下であり、好ましくは、０．２ｍｍである。図３に示すように、各流路１５の幅Ｌ７は、例えば、０．１ｍｍ以上、１．０ｍｍ以下であり、好ましくは、０．５ｍｍである。各流路１５の幅Ｌ７は、突出部５０の厚みＬ５よりも大きい。
【００４３】
そして、円板１１（図１参照）では、図３及び図４に示すように、受け部４１及び通過部４２が、例えば、射出成形などにより一体的に形成される。すなわち、凹部１３、流路１５及び突出部５０は、円板１１に一体的に形成される。また、凹部１３、流路１５及び突出部５０には、親水加工が施されている。親水加工としては、例えば、酸素プラズマやアルゴンプラズマなどによるプラズマアッシングが挙げられるが、これに限らず、エキシマランプによる親水加工などであってもよい。なお、これらの構成、すなわち、受け部４１及び通過部４２、より具体的には、凹部１３、流路１５及び突出部５０が、マイクロ流体デバイスを構成している。
【００４４】
３．凹部における泡の発生
図５に示すように、採血装置２（図１参照）から遠心分離装置１の各凹部１３に血液が滴下されると、凹部１３に泡６０が発生する場合がある。具体的には、採血装置２において、分割部材２３から気体が送られることにより主流路２５で発生した気泡が、血液が凹部１３に滴下されることで泡６０となる場合や、凹部１３を血液で覆うことにより、凹部１３内の空気が泡６０として発生する場合などがある。
【００４５】
この場合には、凹部１３に発生した泡６０は、突出部５０によって、テーパ面１３１から離される。又は、凹部１３に発生した泡６０は、突出部５０によって、割られる。
【００４６】
具体的には、凹部１３に発生した泡６０は、突出部５０によって、テーパ面１３１における流路１５側とは反対側の面に向かって押されるように変形する。そして、泡６０における流路１５側の面６１は、テーパ面１３１から離される。
これにより、凹部１３に発生した泡６０と、テーパ面１３１における流路１５側の面６１との間に隙間が生じる。
【００４７】
そして、凹部１３に滴下された血液は、泡６０とテーパ面１３１との間の隙間を通って下端部周面１３２（図４参照）まで流れ、その後、毛細管現象によって、流路１５内に導入される。
また、突出部５０によって泡６０が変形される途中で、その泡６０が割れる場合もある。特に、テーパ面１３１に沿って血液が流れる過程で、発生した泡６０が割れる場合がある。
【００４８】
この場合には、凹部１３に発生した泡６０が割れることで、凹部１３内において血液が通るための十分な領域が確保される。そして、凹部１３に滴下された血液は、この領域を通って、下端部周面１３２まで流れ、その後、毛細管現象によって、流路１５内に導入される。
【００４９】
４．作用効果
（１）本実施形態では、図５に示すように、受け部４１には、凹部１３の内部空間内に突出する突出部５０が形成されている。
【００５０】
そのため、凹部１３に泡６０が発生した場合に、突出部５０によって、その泡６０をテーパ面１３１から離すことができる。又は、凹部１３に泡６０が発生した場合に、突出部５０によって、その泡６０を割ることができる。
その結果、凹部１３に発生した泡６０によって血液の流れが阻害されることを抑制できる。
ゆえに、血液を流路１５に対して円滑に導入できる。
【００５１】
（２）また、本実施形態では、図４に示すように、受け部４１及び通過部４２は、一体的に形成される。すなわち、凹部１３、流路１５及び突出部５０は、一体的に形成される。
そのため、射出成形などを用いて、受け部４１及び通過部４２、具体的には、凹部１３、流路１５及び突出部５０を、容易に形成できる。
【００５２】
（３）また、本実施形態では、凹部１３に滴下された血液は、毛細管現象によって流路１５に導入される。
そのため、毛細管現象を利用するような細い流路１５に血液を導入する場合に、泡６０が凹部１３を覆ってしまうことを効果的に防止できる。
【００５３】
（４）また、本実施形態では、図４に示すように、凹部１３は、下方に向かうにつれて先細るテーパ面１３１を有している。また、流路１５は、凹部１３の底部である下端部周面１３２の内部空間に連通している。そして、凹部１３に滴下された液体は、テーパ面１３１に沿って下端部周面１３２まで流れ、その後、流路１５内に導入される。
そのため、凹部１３に滴下された血液を、流路１５に対して効率的に導入できる。
また、突出部５０は、テーパ面１３１に形成されているため、テーパ面１３１に沿って血液が流れる過程で泡６０を効果的に割ることができる。
【００５４】
（５）また、本実施形態では、図３に示すように、突出部５０は、各凹部１３のテーパ面１３１から、中心線Ｂに向かって延びており、その先端５０Ａは、中心線Ｂと重なっている。
そのため、凹部１３に泡６０が発生した場合に、その泡６０を効果的に割ることができる。
【００５５】
（６）また、本実施形態では、図５に示すように、突出部５０は、凹部１３内において、流路１５側に配置されている。
そのため、凹部１３に泡６０が発生した場合に、突出部５０によってその泡６０を流路１５から離すことができる。
そのため、血液が流路１５に流れるための領域を確実に確保できる。
その結果、血液を流路１５に対して一層円滑に導入できる。
【００５６】
（７）また、本実施形態では、遠心分離装置１の円板１１は、マイクロ流体デバイスを構成する凹部１３、流路１５及び突出部５０を備えている。そして、遠心分離装置１は、円板１１に遠心力を付与することにより、血液を血漿及び血球に分離する。
そのため、血液を流路１５に対して円滑に導入し、その血液中の成分を遠心分離することができる。
その結果、精度の高い測定結果を得ることができる。
【００５７】
５．変形例
図６Ａは、本発明の第１の変形例に係る遠心分離装置１の凹部１３の周辺を概略的に示した拡大平面図である。図６Ｂは、本発明の第２の変形例に係る遠心分離装置の凹部の周辺を概略的に示した拡大平面図である。図７Ａは、本発明の第３の変形例に係る遠心分離装置の凹部の周辺を概略的に示した側断面図である。図７Ｂは、本発明の第４の変形例に係る遠心分離装置の凹部の周辺を概略的に示した側断面図である。
【００５８】
上記説明した実施形態では、凹部１３内において、流路１５側に突出部５０が配置されるとして説明したが、図６Ａに示すように、凹部１３内において、流路１５側とは反対側に突出部５１が配置されてもよい。具体的には、突出部５１が、テーパ面１３１における流路１５側とは反対側の面から中心線Ｂに向かって突出してもよい。
【００５９】
また、上記説明した実施形態では、テーパ面１３１から１つの突出部５０が突出するとして説明したが、図６Ｂに示すように、テーパ面１３１から複数の突出部５２が中心線Ｂに向かって突出してもよい。また、テーパ面１３１から突出する各突出部５２は、その先端５２Ａが、テーパ面１３１と中心線Ｂとの間に位置してもよい。この場合、１つの突出部５２は、テーパ面１３１における流路１５側から突出することが好ましい。
【００６０】
また、上記説明した実施形態では、突出部５０の上下方向の寸法は、テーパ面１３１の上下方向の寸法Ｌ１と同一であるとして説明したが、図７Ａに示すように、その上下方向の寸法Ｌ８が、寸法Ｌ１よりも小さく形成された突出部５３がテーパ面１３１から突出していてもよい。すなわち、突出部５３の下端縁とテーパ面１３１の下端縁との間に隙間が生じるように、突出部５３を形成してもよい。
【００６１】
また、上記説明した実施形態では、テーパ面１３１から、板状に形成された突出部５０が突出するとして説明したが、図７Ｂに示すように、凹部１３の底面１３３から棒状の突出部５４が上方に向かって突出していてもよい。この場合、突出部５４は、中心線Ｂに沿っていることが好ましい。
【００６２】
また、上記説明した実施形態では、測定対象の液体として血液を例にとって説明したが、測定対象の液体は、血液に限定されず、放射性物質や蛍光剤が含まれた液体や、分析装置に用いられる混合液であってもよい。
【００６３】
また、上記説明した実施形態では、本考案に係るマイクロ流体デバイスは、遠心分離装置１に用いられるとして説明したが、本考案に係るマイクロ流体デバイスは、遠心分離装置以外の分析装置や、他の各種装置に適用可能である。
【符号の説明】
【００６４】
１    遠心分離装置
１１    円板
１３    凹部
１５    流路
４１    受け部
４２    通過部
５０〜５４    突出部
１３１    テーパ面
【図１】
0003201444.tif 000003
【図２】
0003201444.tif 000004
【図３】
0003201444.tif 000005
【図４】
0003201444.tif 000006
【図５】
0003201444.tif 000007
【図６Ａ】
0003201444.tif 000008
【図６Ｂ】
0003201444.tif 000009
【図７Ａ】
0003201444.tif 000010
【図７Ｂ】
0003201444.tif 000011